(57)【要約】【課題】  各電線の周面間に塗布した止水剤を、止水部中心部の電線間に確実に浸透させることができ、止水部における止水剤の充填性を高めて、止水性能を向上させることができるワイヤーハーネスの止水部構造および止水剤充填治具を得る。【解決手段】  複数の電線１が束ねられた電線束３の所定位置における各電線１の周面間に止水剤を充填することにより形成された止水部１７を有するワイヤーハーネスの止水部構造において、長手方向に沿ってスリット２３が設けられているとともに止水部１７を握着可能な断面略Ｃ字状の握着部材２１と、握着部材２１を縮径可能な縮径手段２５とを設けた。【選択図】        図１
2005073386.tif 000002
【特許請求の範囲】
【請求項１】
複数の電線が束ねられた電線束の所定位置における前記各電線の周面間に止水剤を充填することにより形成された止水部を有するワイヤーハーネスの止水部構造であって、
長手方向に沿ってスリットが設けられているとともに前記止水部を握着可能な断面略Ｃ字状の握着部材と、前記握着部材を縮径可能な縮径手段とを備えていることを特徴とするワイヤーハーネスの止水部構造。
【請求項２】
前記縮径手段が、前記握着部材の断面湾曲方向一端側に設けられた爪部と、前記握着部材の断面湾曲方向他端側に設けられているとともに前記スリットを跨いで前記握着部材の断面湾曲方向一端側に延び、かつ、前記爪部に係合可能な係合ベルトとを備えていることを特徴とする請求項１に記載したワイヤーハーネスの止水部構造。
【請求項３】
前記爪部を複数有し、前記各爪部が前記握着部材の断面湾曲方向に沿って所定間隔で配置されているとともに、前記係合ベルトが前記各爪部に対して選択的に係合可能であることを特徴とする請求項２に記載したワイヤーハーネスの止水部構造。
【請求項４】
複数の電線が束ねられた電線束の所定位置における前記各電線の周面間に止水剤を充填することにより止水部を形成するための止水剤充填治具であって、
長手方向に沿ってスリットが設けられているとともに前記止水部を握着可能な断面略Ｃ字状の握着部材と、前記握着部材を縮径可能な縮径手段とを備えていることを特徴とする止水剤充填治具。
【発明の詳細な説明】
【技術分野】
【０００１】
本発明は、ワイヤーハーネスの止水部構造および止水剤充填治具に係り、例えば各電線の周面間に止水剤を塗布して形成する止水部に対し、止水剤の充填性を高めることができるワイヤーハーネスの止水部構造および止水剤充填治具に関する。
【背景技術】
【０００２】
従来より、自動車のエンジンルームから車室内へワイヤーハーネスを配線するためにグロメットが使用されている。このグロメットは、エンジンルームと車室内とを仕切るパネルにワイヤーハーネスを通すためのもので、パネルの取付孔に嵌め込んで取付孔を密閉状態に保ちながらワイヤーハーネスを貫通させるものである。このグロメットのワイヤーハーネス貫通部は、止水処置の施されるのが普通である。
【０００３】
具体的には、図５（ａ）に示すワイヤーハーネスとなる電線１を束ねた電線束３を、車両上での配索状態に癖付け成形するための止水部形成治具５上に支持する。支持は、止水部形成治具５上に立設した音叉形状の支持部７、７を用いる。次いで、支持部７、７間の電線束３の表面に、図５（ｂ）に示す止水剤塗布ノズル９によって、未固化状態の止水剤１１を塗布する。その後、図５（ｃ）に示すように、止水剤１１を塗布した電線束３を、束ねるための止水シート１３を貼付する（例えば特許文献１参照）。
【０００４】
次いで、電線束３を支持部７、７から外した状態にし、止水シート１３を巻き締めて、電線束３を円形断面の電線束に結束する。さらに、図５（ｄ）に示すように、止水シート１３の両端にテープ１５、１５を巻き付けて、電線束の断面形状を、グロメットのワイヤーハーネス貫通部に挿通可能な円形に整形する。これにより、図５（ｅ）に示す止水部１７を形成する。
【０００５】
また、他の止水処理方法として、図６に示すように、電線束３を、グロメット１９のワイヤーハーネス貫通部１９ａに挿通する。そして、ワイヤーハーネス貫通部１９ａに止水剤１１を充填することによりワイヤーハーネス貫通部１９ａ、すなわち、ワイヤーハーネスＷを貫通させるグロメット１９の挿通部位を止水処置していた。
【特許文献１】特許第３１９８９６２号公報
【発明の開示】
【発明が解決しようとする課題】
【０００６】
ところで、上記したワイヤーハーネスの止水部構造は、電線束の表面に止水剤を塗布し、シートを巻き締めて止水部を形成し、この止水部を、さらにグロメットのワイヤーハーネス貫通部に嵌合されている。
【０００７】
しかしながら、電線束の表面に止水剤を塗布しただけでは、止水部において、電線束の隣接する一本一本の電線間に、微細な隙間の残る虞がある。特に止水部の中心部には止水剤が浸透し難いことから、隙間の残る確率が高まる。このような隙間が生じていれば、止水機能が低下し、毛細管現象等によって外部の雨水が車室内へ侵入する虞れがあった。
また、止水剤の塗布後、放置時間次第で、止水剤が固化してしまい、止水部にグロメットを取り付けても、止水部とグロメットとがなじまない場合があった。そのため、グロメット取り付けまでの時間に制約が生じていた。
【０００８】
本発明は、前述した問題点に鑑みてなされたものであり、その第一の目的は各電線の周面間に塗布した止水剤を、止水部中心部の電線間に確実に浸透させることができ、止水部における止水剤の充填性を高めて、止水性能を向上させることができるワイヤーハーネスの止水部構造および止水剤充填治具を提供することにある。
また、その第二の目的はグロメット取り付けまでの時間に制約が生じなくなるワイヤーハーネスの止水部構造および止水剤充填治具を提供することにある。
【課題を解決するための手段】
【０００９】
前述した目的を達成するために、本発明のワイヤーハーネスの止水部構造は、複数の電線が束ねられた電線束の所定位置における前記各電線の周面間に止水剤を充填することにより形成された止水部を有するワイヤーハーネスの止水部構造であって、長手方向に沿ってスリットが設けられているとともに前記止水部を握着可能な断面略Ｃ字状の握着部材と、前記握着部材を縮径可能な縮径手段とを備えていることを特徴としている。
【００１０】
ここで、電線としては、自動車のエンジンルームから室内へ配線されるワイヤーハーネスを例示できる。止水剤としては、水分硬化型のシリコーンＲＴＶを例示できる。
握着部材としては、ゴム、合成樹脂フィルムあるいは金属からなる可撓板を例示できる。縮径手段としては、複数の爪部と、各爪部に選択的に係合可能な係合ベルトとからなる異径緊縛具を例示できる。
【００１１】
このように構成されたワイヤーハーネスの止水部構造においては、各電線の周面間に塗布した止水剤が、握着部材及び縮径手段の締め付け力によって、止水部中心部の電線間に確実に浸透することになる。
従って、このワイヤーハーネスの止水部構造においては、止水部における止水剤の充填性が高められ、止水部構造の止水性能が向上することになる。この結果、従来のような止水部中心部に微細な隙間が残り、止水機能が低下するという問題を解決できることになる。
また、縮径手段の締め付けを、グロメットの締め付けと同等にしておくことで、止水部とグロメットとのなじみが良好となる。これにより、グロメット取り付けまでの時間に制約が生じなくなる（幅を持たせることができる）。
【００１２】
また、本発明のワイヤーハーネスの止水部構造は、前記縮径手段が、前記握着部材の断面湾曲方向一端側に設けられた爪部と、前記握着部材の断面湾曲方向他端側に設けられているとともに前記スリットを跨いで前記握着部材の断面湾曲方向一端側に延び、かつ、前記爪部に係合可能な係合ベルトとを備えていることを特徴としている。
【００１３】
このように構成されたワイヤーハーネスの止水部構造においては、握着部材の断面湾曲方向他端側に設けた係合ベルトが、スリットを跨いで爪部に係合されることで、スリットを挟む断面湾曲方向一端側と断面湾曲方向他端側とが引き寄せられ、握着部材が縮径される。
これにより、握着部材によって握着された止水部に締め付け力が付与されることになる。
【００１４】
さらに、本発明のワイヤーハーネスの止水部構造は、前記爪部を複数有し、前記各爪部が前記握着部材の断面湾曲方向に沿って所定間隔で配置されているとともに、前記係合ベルトが前記各爪部に対して選択的に係合可能であることを特徴としている。
【００１５】
このように構成されたワイヤーハーネスの止水部構造においては、選択する爪部によって、係合ベルトによって引き寄せられる断面湾曲方向一端側と断面湾曲方向他端側との間隔が変化し、握着部材の縮径量が変わる。
これにより、一つの縮径手段を用いて、異なる外径の多種の止水部に対して、最適な締め付け力が付与されることになる。
【００１６】
そして、本発明の止水剤充填治具は、複数の電線が束ねられた電線束の所定位置における前記各電線の周面間に止水剤を充填することにより止水部を形成するための止水剤充填治具であって、長手方向に沿ってスリットが設けられているとともに前記止水部を握着可能な断面略Ｃ字状の握着部材と、前記握着部材を縮径可能な縮径手段とを備えていることを特徴としている。
【発明の効果】
【００１７】
本発明のワイヤーハーネスの止水部構造によれば、長手方向に沿ってスリットが設けられているとともに止水部を握着可能な断面略Ｃ字状の握着部材と、握着部材を縮径可能な縮径手段とを備えたので、各電線の周面間に塗布した止水剤を、握着部材及び縮径手段の締め付け力によって、止水部中心部の電線間に確実に浸透させることができ、止水部における止水剤の充填性を高めることができる。
この結果、止水部構造の止水性能を向上させることができる。また、縮径手段の締め付けを、グロメットの締め付けと同等にしておくことで、止水部とグロメットとのなじみを良くすることができる。この結果、グロメット取り付けまでの時間に幅を持たせることができる。
【００１８】
また、本発明のワイヤーハーネスの止水部構造によれば、縮径手段が、握着部材の断面湾曲方向一端側に設けられた爪部と、握着部材の断面湾曲方向他端側に設けられているとともにスリットを跨いで握着部材の断面湾曲方向一端側に延び、かつ、爪部に係合可能な係合ベルトとを備えているので、握着部材の断面湾曲方向他端側に設けた係合ベルトを、スリットを跨いで爪部に係合することで、スリットを挟む断面湾曲方向一端側と断面湾曲方向他端側とを引き寄せて、握着部材を縮径させることができる。これにより、握着部材によって握着された止水部に締め付け力を付与できる。
【００１９】
さらに、本発明のワイヤーハーネスの止水部構造によれば、爪部を複数有し、各爪部が握着部材の断面湾曲方向に沿って所定間隔で配置されているとともに、係合ベルトが各爪部に対して選択的に係合可能であるので、選択する爪部によって、係合ベルトによって引き寄せられる断面湾曲方向一端側と断面湾曲方向他端側との間隔が変化し、握着部材の縮径量を変えることができる。この結果、一つの縮径手段を用いて、異なる外径の多種の止水部に対して、最適な締め付け力を付与することができる。
【発明を実施するための最良の形態】
【００２０】
以下、本発明に係る実施形態を図面に基づいて詳細に説明する。
図１は本発明に係るワイヤーハーネスの止水部構造を表す斜視図、図２は止水部の斜視図、図３は握着部材及び縮径手段の斜視図、図４はグロメットと止水部との位置関係を示す断面図である。なお、以下に説明する実施の形態において、既に図において説明した部材等については、図中に同一符号あるいは相当符号を付すことにより説明を簡略化あるいは省略する。
【００２１】
本発明に係る実施形態であるワイヤーハーネスの止水部構造は、複数の電線１が束ねられた電線束３の所定位置における各電線１の周面間に止水剤１１（図４参照）を充填することにより形成された止水部１７を有する。止水部１７は、図２に示すように、電線１が束ねられた電線束３の所定位置における各電線１の周面間に止水剤１１（図４参照）を塗布し、シート１３を巻き締め、さらに、シート１３の両端にテープ１５、１５を巻き付けて形成されている。止水剤１１としては、例えば水分硬化型のシリコーンＲＴＶが使用される。この止水部１７は、図４に示すグロメット１９に従来と同様にワイヤーハーネスＷが挿通されることによりグロメット１９のハーネス挿通穴に緊密嵌合される。
【００２２】
図１に示すように、止水部１７は、止水剤１１が固化する前に、止水剤充填治具である握着部材２１によって握着される。
図３に示すように、握着部材２１は、ゴム、合成樹脂フィルムあるいは金属からなる断面略Ｃ字状の可撓板からなり、止水部１７を円周方向に包囲し、止水部１７の長手方向（止水部１７の軸線方向）に沿うスリット２３を有する。この握着部材２１には縮径手段２５が一体に取り付けられ、縮径手段２５は握着部材２１を縮径可能としている。
【００２３】
縮径手段２５は、爪部２７と、係合ベルト２９とから成る。爪部２７は、握着部材２１の断面湾曲方向一端側２１ａに設けられている。
爪部２７は、握着部材２１の断面湾曲方向に沿って複数のものが所定間隔で配置されている。各爪部２７には、後述する係合ベルト２９の係合環が選択的に係合可能となる。
【００２４】
一方、係合ベルト２９は、握着部材２１の断面湾曲方向他端側２１ｂに設けられる。
係合ベルト２９は、握着部材２１に固着した連結部３３と、この連結部３３に一端側が回動自在に支持された矩形環状の支持環３５と、この支持環３５の他端側に回動自在に支持された摘み板３７と、この摘み板３７に回動自在に連結された矩形環状の係合環３９とからなる。
【００２５】
係合ベルト２９は、摘み板３７を図３の矢印ａ方向に回転させた状態で、スリット２３を跨いで係合環３９を爪部２７に掛止し、摘み板３７を図３の矢印ｂ方向に回転することで、爪部２７を引き寄せ、握着部材２１を縮径できるようになっている。
【００２６】
すなわち、握着部材２１の断面湾曲方向他端側２１ｂに設けた係合ベルト２９が、スリット２３を跨いで爪部２７に係合されることで、スリット２３を挟む断面湾曲方向他端側２１ａと断面湾曲方向他端側２１ｂとが引き寄せられ、握着部材２１が縮径される。
これにより、握着部材２１によって握着された止水部１７に締め付け力が付与されるようになっている。
【００２７】
また、縮径手段２５は、選択する爪部２７によって、係合ベルト２９で引き寄せられる断面湾曲方向一端側２１ａと断面湾曲方向他端側２１ｂとの間隔（すなわち、スリット２３の幅）が変化し、握着部材２１の縮径量が変わる。
これにより、一つの縮径手段２５を用いて、異なる外径の多種の止水部１７に対して、最適な締め付け力が付与されるようになっている。つまり、縮径手段２５は、異径緊縛具として働く。
なお、握着部材２１は、止水部１７の外径が小さい場合には、断面湾曲方向一端側２１ａと断面湾曲方向他端側２１ｂとが重なり、スリット２３がなくなってもよい。
【００２８】
このようにして形成された止水部１７を有するワイヤハーネスＷは、握着部材２１を取り外した後、図４に示すように、止水部１７がグロメット１９のハーネス挿通穴に緊密嵌合されてグロメット１９への装着が完了する。
【００２９】
前述したワイヤーハーネスの止水部構造および止水剤充填治具である握着部材２１によれば、各電線１の周面間に塗布した止水剤１１を、握着部材２１材及び縮径手段２５の締め付け力によって、止水部中心部の電線間に確実に浸透させることができ、止水部１７における止水剤１１の充填性を高めることができる。
この結果、止水部構造の止水性能を向上させることができる。
【００３０】
また、縮径手段２５の締め付けを、グロメットの締め付けと同等にしておくことで、止水部１７とグロメット１９とのなじみを良くすることができる。
この結果、グロメット１９への取り付けまでの時間に制約が生じなくなり、グロメット１９への取り付けまでの時間に幅を持たせることができる。
【００３１】
なお、本発明のワイヤーハーネスの止水部構造および止水剤充填治具は、前述した実施形態に限定されるものでなく、適宜な変形、改良等が可能である。
また、前述した実施形態では、縮径手段２５を爪部２７と係合ベルト２９とにより構成したが、縮径手段は例えば電線束の結束に用いる所謂結束バンドを代用することができる。この場合、特に握着部材及び縮径手段を除去しない構造に好適となる。
さらに、縮径手段としては、所謂多数の微小係合突起と、該微小係合突起に係合する多数の微小環部を植設した接着・剥離自在なテープとすることもできる。この場合、縮径量を無段階に調節することができる。
【００３２】
その他、前述した実施形態において例示した電線、電線束、止水剤、止水部、ワイヤーハーネス、スリット、握着部材、縮径手段、爪部、係合ベルト等の部材、形状、寸法、形態、数、配置箇所等は本発明を達成できるものであれば任意であり、限定されない。
【図面の簡単な説明】
【００３３】
【図１】本発明に係るワイヤーハーネスの止水部構造を表す斜視図である。
【図２】止水部の斜視図である。
【図３】握着部材及び縮径手段の斜視図である。
【図４】グロメットと止水部との位置関係を示す断面図である。
【図５】従来の止水部形成手順の説明図である。
【図６】他の従来の止水部構造の断面図である。
【符号の説明】
【００３４】
１  電線
３  電線束
１１  止水剤
１７  止水部
２１  握着部材
２３  スリット
２５  縮径手段
２７  爪部
２９  係合ベルト
【図１】
2005073386.tif 000003
【図２】
2005073386.tif 000004
【図３】
2005073386.tif 000005
【図４】
2005073386.tif 000006
【図５】
2005073386.tif 000007
【図６】
2005073386.tif 000008